【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
イーサネットトランシーバであって、
ピアトランシーバからあらかじめ規定された数を超えない連続するゼロを出力できるスクランブルシーケンスによってスクランブルされた信号を受信し、一連のデジタルＰＨＹレベル処理動作で前記受信された信号を処理し、前記処理された信号を媒体アクセス制御（ＭＡＣ）処理用に出力するように構成される物理層（ＰＨＹ）回路と、
前記スクランブルシーケンスによってスクランブルされた前記受信された信号のデジタルバージョンを前記ＰＨＹ回路から受信し、前記受信された信号の前記デジタルバージョンの振幅に基づいて、前記受信された信号の前記デジタルバージョンが前記スクランブルシーケンスによって出力可能な前記あらかじめ規定された数を超える連続するゼロのシーケンスを有することを識別することにより、信号損失イベントを検出するように構成される信号損失検出器と
を備える、トランシーバ。
【請求項２】
前記信号損失検出器が、前記ＰＨＹレベル処理動作の初期サブセットのみを経た前記受信された信号のデジタルバージョンを前記ＰＨＹ回路から受信するように構成される、請求項１に記載のトランシーバ。
【請求項３】
前記信号損失検出器が、前記信号損失イベントによって引き起こされるエラーイベントが前記ＭＡＣ処理において識別される前に、前記信号損失イベントを検出するように構成される、請求項１又は２に記載のトランシーバ。
【請求項４】
前記信号損失検出器が、前記受信された信号の前記デジタルバージョンの平均振幅を計算し、予め規定された振幅しきい値を前記平均振幅が下回ることを識別することによって、前記信号損失イベントを検出するように構成される、請求項１から３のいずれか一項に記載のトランシーバ。
【請求項５】
前記信号損失イベントを検出することに応答して、前記信号損失検出器が、前記トランシーバをリセットするためにリセット動作を開始するように構成される、請求項１から４のいずれか一項に記載のトランシーバ。
【請求項６】
前記ＰＨＹ回路が、前記トランシーバと前記ピアトランシーバとの間のリンクの現在の状態を示す複数の状態を有するＰＨＹ制御状態マシンに従って、前記受信された信号を処理するように構成され、前記信号損失検出器が、前記状態の予め規定された部分サブセットにおいてのみ前記信号損失イベントの通知を出力するように構成される、請求項１から５のいずれか一項に記載のトランシーバ。
【請求項７】
前記信号損失検出器が、前記受信された信号が前記ＰＨＹ回路によって最初に検出された後にのみ、前記信号損失イベントを検出するように構成される、請求項１から６のいずれか一項に記載のトランシーバ。
【請求項８】
イーサネットトランシーバで信号損失を検出する方法であって、
物理層（ＰＨＹ）回路を使用して、ピアトランシーバからあらかじめ規定された数を超えない連続するゼロを出力できるスクランブルシーケンスによってスクランブルされた信号を受信し、一連のデジタルＰＨＹレベル処理動作で前記受信された信号を処理し、前記処理された信号を媒体アクセス制御（ＭＡＣ）処理用に出力する段階と、
前記スクランブルシーケンスによってスクランブルされた前記受信された信号のデジタルバージョンを前記ＰＨＹ回路から受信し、前記受信された信号の前記デジタルバージョンの振幅に基づいて、前記受信された信号の前記デジタルバージョンが前記スクランブルシーケンスによって出力可能な前記あらかじめ規定された数を超える連続するゼロのシーケンスを有することを識別することにより、信号損失イベントを検出する段階と
を備える、方法。
【請求項９】
前記デジタルバージョンを受信する段階が、前記ＰＨＹレベル処理動作の初期サブセットのみを経た前記受信された信号のデジタルバージョンを前記ＰＨＹ回路から受信する段階を有する、請求項８に記載の方法。
【請求項１０】
前記信号損失イベントによって引き起こされるエラーイベントが前記ＭＡＣ処理において識別される前に、前記信号損失イベントを検出する前記段階が実行される、請求項８または９に記載の方法。
【請求項１１】
前記信号損失イベントを検出する段階が、前記受信された信号の前記デジタルバージョンの平均振幅を計算する段階と、予め規定された振幅しきい値を前記平均振幅が下回ることを識別する段階とを有する、請求項８から１０のいずれか一項に記載の方法。
【請求項１２】
前記信号損失イベントを検出する段階に応答して、前記トランシーバをリセットするためにリセット動作を開始する段階をさらに備える、請求項８から１１のいずれか一項に記載の方法。
【請求項１３】
前記受信された信号を処理する段階が、前記トランシーバと前記ピアトランシーバとの間のリンクの現在の状態を示す複数の状態を有するＰＨＹ制御状態マシンを適用する段階を有し、前記信号損失イベントを検出する段階が、前記状態の予め規定された部分サブセットにおいてのみ前記信号損失イベントの通知を出力する段階を有する、請求項８から１２のいずれか一項に記載の方法。
【請求項１４】
前記信号損失イベントを検出する段階が、前記受信された信号が前記ＰＨＹ回路によって最初に検出された後にのみ、実行される、請求項８から１３のいずれか一項に記載の方法。
【手続補正２】
【補正対象書類名】明細書
【補正対象項目名】００７８
【補正方法】変更
【補正の内容】
【００７８】
上記の実施形態は例として引用されており、本発明は上記で具体的に図示および記載されたものに限定されないことに留意されたい。むしろ、本発明の範囲は、上述した様々な特徴の組み合わせおよび部分的な組み合わせの両方、ならびに前述の説明を読んで当業者が思いつくであろう、先行技術では開示されていない変形および修正を含む。本特許出願において参照により組み込まれる文書は、本明細書において明示的または暗示的になされる定義と矛盾する方法で、これらの組み込まれた文書において用語が定義される限り、本明細書における定義のみが考慮されるべきであることを除いて、本出願の不可欠な部分と見なすべきである。
［項目１］
イーサネットトランシーバであって、
ピアトランシーバから信号を受信し、一連のデジタルＰＨＹレベル処理動作で上記受信された信号を処理し、上記処理された信号を媒体アクセス制御（ＭＡＣ）処理用に出力するように構成される物理層（ＰＨＹ）回路と、
上記受信された信号のデジタルバージョンを上記ＰＨＹ回路から受信し、上記受信された信号の上記デジタルバージョンの振幅に基づいて、上記ピアトランシーバからの上記信号が正しく受信されなくなる信号損失イベントを検出するように構成される信号損失検出器と
を備える、トランシーバ。
［項目２］
上記信号損失検出器が、上記一連のデジタルＰＨＹレベル処理動作の初期サブセットのみを経た上記受信された信号のデジタルバージョンを上記ＰＨＹ回路から受信するように構成される、項目１に記載のトランシーバ。
［項目３］
信号損失がない場合、上記受信された信号には、予め規定された数を超えない連続するゼロが含まれることが知られており、上記予め規定された数を超える連続するゼロのシーケンスを上記受信された信号の上記デジタルバージョンが含むことを識別することによって、上記信号損失検出器が上記信号損失イベントを検出するように構成される、項目１に記載のトランシーバ。
［項目４］
上記信号損失検出器が、上記信号損失イベントによって引き起こされるエラーイベントが上記ＭＡＣ処理において識別される前に、上記信号損失イベントを検出するように構成される、項目１から３のいずれか一項に記載のトランシーバ。
［項目５］
上記信号損失検出器が、上記受信された信号の上記デジタルバージョンの平均振幅を計算し、予め規定された振幅しきい値を上記平均振幅が下回ることを識別することによって、上記信号損失イベントを検出するように構成される、項目１から３のいずれか一項に記載のトランシーバ。
［項目６］
上記ＰＨＹ回路が、上記受信された信号内のエコー信号をキャンセルするように構成されるエコーキャンセラと、続いて、上記受信された信号をフィルタリングするように構成されるイコライザとを有し、
上記信号損失検出器が、上記エコーキャンセラの後、上記イコライザの前に、上記受信された信号の上記デジタルバージョンを受信するように構成される、項目１から３のいずれか一項に記載のトランシーバ。
［項目７］
上記信号損失イベントを検出することに応答して、上記信号損失検出器が、上記トランシーバをリセットするためにリセット動作を開始するように構成される、項目１から３のいずれか一項に記載のトランシーバ。
［項目８］
上記ＰＨＹ回路が、上記イーサネットトランシーバと上記ピアトランシーバとの間のリンクの現在の状態を示す複数の状態を有するＰＨＹ制御状態マシンに従って、上記受信された信号を処理するように構成され、上記信号損失検出器が、上記複数の状態の予め規定された部分サブセットにおいてのみ上記信号損失イベントの通知を出力するように構成される、項目１から３のいずれか一項に記載のトランシーバ。
［項目９］
上記信号損失検出器が、上記受信された信号が上記ＰＨＹ回路によって最初に検出された後にのみ、上記信号損失イベントを検出するように構成される、項目１から３のいずれか一項に記載のトランシーバ。
［項目１０］
イーサネットトランシーバで信号損失を検出する方法であって、
物理層（ＰＨＹ）回路を使用して、ピアトランシーバから信号を受信し、一連のデジタルＰＨＹレベル処理動作で上記受信された信号を処理し、上記処理された信号を媒体アクセス制御（ＭＡＣ）処理用に出力する段階と、
上記受信された信号のデジタルバージョンを上記ＰＨＹ回路から受信し、上記受信された信号の上記デジタルバージョンの振幅に基づいて、上記ピアトランシーバからの上記信号が正しく受信されなくなる信号損失イベントを検出する段階と
を備える、方法。
［項目１１］
上記デジタルバージョンを受信する段階が、上記一連のデジタルＰＨＹレベル処理動作の初期サブセットのみを経た上記受信された信号のデジタルバージョンを上記ＰＨＹ回路から受信する段階を有する、項目１０に記載の方法。
［項目１２］
信号損失がない場合、上記受信された信号には、予め規定された数を超えない連続するゼロが含まれることが知られており、上記信号損失イベントを検出する段階が、上記受信された信号の上記デジタルバージョンが、上記予め規定された数を超える連続するゼロのシーケンスを含むことを識別する段階を有する、項目１０に記載の方法。
［項目１３］
上記信号損失イベントによって引き起こされるエラーイベントが上記ＭＡＣ処理において識別される前に、上記信号損失イベントを検出する上記段階が実行される、項目１０から１２のいずれか一項に記載の方法。
［項目１４］
上記信号損失イベントを検出する段階が、上記受信された信号の上記デジタルバージョンの平均振幅を計算する段階と、予め規定された振幅しきい値を上記平均振幅が下回ることを識別する段階とを有する、項目１０から１２のいずれか一項に記載の方法。
［項目１５］
上記受信された信号を処理する段階が、上記受信された信号のエコーキャンセルにおいてエコー信号をキャンセルし、続いて、上記受信された信号をイコライザによってフィルタリングする段階を有し、上記デジタルバージョンを受信する段階が、上記エコー信号をキャンセルした後、フィルタリングする上記段階の前に、上記受信された信号の上記デジタルバージョンを受信する段階を有する、項目１０から１２のいずれか一項に記載の方法。
［項目１６］
上記信号損失イベントを検出する段階に応答して、上記イーサネットトランシーバをリセットするためにリセット動作を開始する段階をさらに備える、項目１０から１２のいずれか一項に記載の方法。
［項目１７］
上記受信された信号を処理する段階が、上記イーサネットトランシーバと上記ピアトランシーバとの間のリンクの現在の状態を示す複数の状態を有するＰＨＹ制御状態マシンを適用する段階を有し、上記信号損失イベントを検出する段階が、上記複数の状態の予め規定された部分サブセットにおいてのみ上記信号損失イベントの通知を出力する段階を有する、項目１０から１２のいずれか一項に記載の方法。
［項目１８］
上記信号損失イベントを検出する段階が、上記受信された信号が上記ＰＨＹ回路によって最初に検出された後にのみ、実行される、項目１０から１２のいずれか一項に記載の方法。
［項目１９］
イーサネットトランシーバであって、
ピアトランシーバから信号を受信し、上記受信された信号を処理し、上記処理された信号を媒体アクセス制御（ＭＡＣ）処理用に出力するように構成される物理層（ＰＨＹ）回路と、
上記ＰＨＹ回路によって処理される上記受信された信号のＰＨＹレベルバージョンを分析することによって、上記ピアトランシーバからの上記信号が正しく受信されなくなる信号損失イベントを検出するように構成される信号損失検出器と
を備える、トランシーバ。
［項目２０］
イーサネットトランシーバで信号損失を検出する方法であって、
物理層（ＰＨＹ）回路を使用して、ピアトランシーバから信号を受信し、上記受信された信号を処理し、上記処理された信号を媒体アクセス制御（ＭＡＣ）処理用に出力する段階と、
上記ＰＨＹ回路によって処理される上記受信された信号のＰＨＹレベルバージョンを分析することによって、上記ピアトランシーバからの上記信号が受信されなくなる信号損失イベントを検出する段階と
を備える、方法。